(57)【要約】【課題】点灯状態又は消灯状態を個別に維持させることができる照明装置及び照明システムを提供する。【解決手段】送信部２０３は、指定情報の設定（設定状態）が異なる（例えば、チャネル１、チャネル２が設定された状態の）複数の照明装置を動作させるための特定の制御信号（全チャネル）を送信する。設定部１０３は、全チャネルによる指定を受け付けるか否かを示す指定情報を設定する。制御部１０１は、設定部１０３で全チャネルによる指定の受付を否と設定してある場合、リモコン２００から全チャネルを受信部１０２で受信した場合、受信した全チャネルによる指定を無効にする。【選択図】図１
2012195111.tif 000002
【特許請求の範囲】
【請求項１】
照明装置に設定された指定情報を指定して該照明装置を動作させる制御信号を受信する受信部と、
前記制御信号に基づいて動作を制御する制御部と、
前記指定情報の設定が異なる複数の照明装置を動作させる特定の制御信号を受信した場合、該特定の制御信号を無効にする無効部と
を備えることを特徴とする照明装置。
【請求項２】
前記指定情報を設定する設定部を備え、
前記無効部は、
前記設定部で設定した指定情報が前記特定の制御信号の受付を否とする場合、前記特定の制御信号を無効にするように構成してあることを特徴とする請求項１に記載の照明装置。
【請求項３】
前記設定部は、
固有の照明装置を動作させる複数の固有の制御信号のいずれか１つによる指定の受付を可とする指定情報を設定するようにしてあり、
前記無効部は、
前記設定部で設定した指定情報が一の固有の制御信号による指定の受付を可とする場合、前記特定の制御信号を無効にするようにしてあり、
前記設定部で設定した指定情報が前記一の固有の制御信号以外の固有の制御信号による指定の受付を可とする場合、前記特定の制御信号を有効にする有効部を備えることを特徴とする請求項２に記載の照明装置。
【請求項４】
前記設定部は、
固有の照明装置を動作させる複数の固有の制御信号のいずれか１つ及び前記特定の制御信号の両方による指定の受付を可とする指定情報、又は前記固有の制御信号のいずれか１つによる指定の受付を可とするとともに前記特定の制御信号による指定の受付を否とする指定情報を選択可能に設定するように構成してあることを特徴とする請求項２に記載の照明装置。
【請求項５】
前記設定部で前記複数の固有の制御信号のいずれかの１つによる指定の受付を可とする指定情報を設定した場合、設定した指定情報に応じて表示態様を変えて表示する表示部を備えることを特徴とする請求項４に記載の照明装置。
【請求項６】
前記表示部は、
前記設定部で前記特定の制御信号による指定の受付を可又は否とする指定情報を設定した場合、設定した指定情報に応じて表示態様を変えて表示するように構成してあることを特徴とする請求項５に記載の照明装置。
【請求項７】
請求項１から請求項６までのいずれか１つの照明装置と、該照明装置へ前記制御信号を送信する遠隔操作装置とを備えることを特徴とする照明システム。
【発明の詳細な説明】
【技術分野】
【０００１】
本発明は、遠隔操作装置により遠隔操作を行うことができる照明装置及び該照明装置を備える照明システムに関する。
【背景技術】
【０００２】
家庭又は事務所などの屋内に複数の照明装置（照明器具）を設置している場合、照明装置の点灯及び消灯は、壁などに設けられたスイッチ、あるいは個々の照明装置から引き出された操作紐などを操作して行う。
【０００３】
また、離れた場所からリモートコントロールを操作することにより好みの照明装置を点灯又は消灯するため、リモートコントロールで別異の発信信号を選択して特定の照明装置を点滅することができる照明装置が開示されている（特許文献１参照）。
【０００４】
また、このようなリモートコントロールには、遠隔操作範囲内にある複数の照明装置の点滅を一度に行ってユーザの操作性を高めることができるように、リモートコントロールからの動作コマンドを複数の照明装置が受け付けることができる全チャネルを指定する信号を送信するものもある。
【先行技術文献】
【特許文献】
【０００５】
【特許文献１】特開平５−４１２８７号公報
【発明の概要】
【発明が解決しようとする課題】
【０００６】
しかし、部屋に複数の照明装置を設置している状態で、全チャネルを指定する信号を送信するリモートコントロール（遠隔操作装置）を使用した場合には、部屋にある複数の照明装置が同時に点灯又は消灯することになる。一方でユーザによっては、部屋内の一部の照明装置だけを点灯のまま又は消灯のままにさせたいと思う場合もあるが、全チャネルを指定する信号を送信するリモートコントロールを使用する限り、照明装置の点灯状態又は消灯状態を個別に維持させることができない。
【０００７】
本発明は斯かる事情に鑑みてなされたものであり、点灯状態又は消灯状態を個別に維持させることができる照明装置及び該照明装置を備える照明システムを提供することを目的とする。
【課題を解決するための手段】
【０００８】
本発明に係る照明装置は、照明装置に設定された指定情報を指定して該照明装置を動作させる制御信号を受信する受信部と、前記制御信号に基づいて動作を制御する制御部と、前記指定情報の設定が異なる複数の照明装置を動作させる特定の制御信号を受信した場合、該特定の制御信号を無効にする無効部とを備えることを特徴とする。
【０００９】
本発明にあっては、無効部は、指定情報の設定が異なる複数の照明装置を動作させる特定の制御信号を受信した場合、当該特定の制御信号を無効にする。指定情報は、それぞれの照明装置に設定される情報であり、制御信号により指定されることにより照明装置を動作させるための情報である。なお、指定情報はチャネルとも称する。制御信号は、指定情報を指定するとともに、動作コマンド及び数値データなどを含む制御データである。制御信号は、遠隔操作装置（リモートコントロール）から照明装置へ送信される。また、特定の制御信号とは、指定情報の設定（設定状態）が異なる（例えば、１チャネル、２チャネルが設定された状態の）複数の照明装置を動作させるための制御信号であり、全チャネルの信号である。特定の制御信号は、例えば、０チャネルを使用することができる。無効部で特定の制御信号を無効にするようにしておくことにより、遠隔操作装置から特定の制御信号が送信された場合でも、当該遠隔操作装置の操作により点灯状態又は消灯状態などの動作状態が変更されることを防止し、動作状態を維持することができる。
【００１０】
本発明に係る照明装置は、前記指定情報を設定する設定部を備え、前記無効部は、前記設定部で設定した指定情報が前記特定の制御信号の受付を否とする場合、前記特定の制御信号を無効にするように構成してあることを特徴とする。
【００１１】
本発明にあっては、指定情報を予め設定する設定部を備え、無効部は、設定部で設定した指定情報が特定の制御信号（例えば、全チャネルの信号）の受付を否とする場合、受信した特定の制御信号を無効にする。設定部で特定の制御信号の受付を否とする指定情報を設定した場合、特定の制御信号を受信しても受信した特定の制御信号を無効とするので、特定の制御信号（例えば、全チャネル）を送信する遠隔操作装置の操作により点灯状態又は消灯状態などの動作状態が変更されることを防止することができる。また、設定部で特定の制御信号の受付を可とする指定情報を設定した場合には、受信した特定の制御信号を無効としないので、特定の制御信号を送信する遠隔操作装置の操作により点灯状態又は消灯状態などの動作状態を変更することができ、ユーザの操作性を高めることもできる。
【００１２】
本発明に係る照明装置は、前記設定部は、固有の照明装置を動作させる複数の固有の制御信号のいずれか１つによる指定の受付を可とする指定情報を設定するようにしてあり、前記無効部は、前記設定部で設定した指定情報が一の固有の制御信号による指定の受付を可とする場合、前記特定の制御信号を無効にするようにしてあり、前記設定部で設定した指定情報が前記一の固有の制御信号以外の固有の制御信号による指定の受付を可とする場合、前記特定の制御信号を有効にする有効部を備えることを特徴とする。
【００１３】
本発明にあっては、設定部は、固有の照明装置を動作させる複数の固有の制御信号のいずれか１つによる指定の受付を可とする指定情報を設定する。固有の制御信号とは、照明装置に設定された固有の指定情報を指定する制御信号であり、例えば、１チャネル、２チャネルなどのように、固有のチャネルにより、照明装置に設定された固有の指定情報（チャネル）を区別することができ、設定部は、例えば、１チャネル又は２チャネルのいずれかを選択して設定することができる。例えば、一の照明装置にチャネル１の指定情報が設定され、他の照明装置にチャネル２の指定情報が設定されている場合、チャネル１を指定する固有の制御信号を遠隔操作装置から送信した場合、チャネル１の指定情報が設定された照明装置は、当該固有の制御信号により動作をするが、チャネル２の指定情報が設定された照明装置は、当該固有の制御信号により動作しない。
【００１４】
無効部は、設定部で設定した指定情報が一の固有の制御信号による指定の受付を可とする場合、特定の制御信号を無効にする。また、設定部で設定した指定情報が一の固有の制御信号以外の固有の制御信号による指定の受付を可とする場合、特定の制御信号を有効にする有効部を備える。例えば、指定情報として、１チャネル及び２チャネルの２つのチャネルがある場合、設定部で１チャネルを設定したときは全チャネルを無効にし、２チャネルを設定したときは全チャネルを有効にする。これにより、設定部で固有の制御信号による指定の受付を可又は否とする指定情報を設定するだけで、特定の制御信号の有効無効を選択して設定することができ、特定の制御信号を送信する遠隔操作装置及び固有の制御信号を送信する遠隔操作装置のいずれからの操作も受け付けることができる。
【００１５】
本発明に係る照明装置は、前記設定部は、固有の照明装置を動作させる複数の固有の制御信号のいずれか１つ及び前記特定の制御信号の両方による指定の受付を可とする指定情報、又は前記固有の制御信号のいずれか１つによる指定の受付を可とするとともに前記特定の制御信号による指定の受付を否とする指定情報を選択可能に設定するように構成してあることを特徴とする。
【００１６】
本発明にあっては、設定部は、固有の照明装置を動作させる複数の固有の制御信号のいずれか１つ及び特定の制御信号の両方による指定の受付を可とする指定情報、又は固有の制御信号のいずれか１つによる指定の受付を可とするとともに特定の制御信号による指定の受付を否とする指定情報を選択可能に設定する。例えば、指定情報として、１チャネル及び２チャネルの２つのチャネルがある場合、設定部は、１チャネル（固有の制御信号）及び全チャネル（特定の制御信号）の受付を可とする指定情報の設定、２チャネル（固有の制御信号）及び全チャネル（特定の制御信号）の受付を可とする指定情報の設定、１チャネルの受付を可とし全チャネルの受付を否とする指定情報の設定、２チャネルの受付を可とし全チャネルの受付を否とする指定情報の設定を選択可能に設定する。これにより、特定の制御信号を送信する遠隔操作装置及び固有の制御信号を送信する遠隔操作装置のいずれからの操作も受け付けることができる。
【００１７】
本発明に係る照明装置は、前記設定部で前記複数の固有の制御信号のいずれかの１つによる指定の受付を可とする指定情報を設定した場合、設定した指定情報に応じて表示態様を変えて表示する表示部を備えることを特徴とする。
【００１８】
本発明にあっては、表示部は、設定部で複数の固有の制御信号のいずれかの１つによる指定の受付を可とする指定情報を設定した場合、設定した指定情報に応じて表示態様を変えて表示する。例えば、指定情報として、１チャネル及び２チャネルの２つのチャネルがある場合、設定部で１チャネルを設定したときには、１回点滅の表示をし、設定部で２チャネルを設定したときには、２回点滅の表示をする。これにより、設定した指定情報の違いを容易に識別することができる。
【００１９】
本発明に係る照明装置は、前記表示部は、前記設定部で前記特定の制御信号による指定の受付を可又は否とする指定情報を設定した場合、設定した指定情報に応じて表示態様を変えて表示するように構成してあることを特徴とする。
【００２０】
本発明にあっては、表示部は、設定部で特定の制御信号による指定の受付を可又は否とする指定情報を設定した場合、設定した指定情報に応じて表示態様を変えて表示する。例えば、特定の制御信号による指定の受付可とした場合には、短かい時間の点滅表示とし、特定の制御信号による指定の受付否とした場合には、長い時間の点滅表示とする。これにより、特定の制御信号の受付可否の違いを容易に識別することができる。
【００２１】
本発明に係る照明システムは、前述の発明のいずれか１つに係る照明装置と、該照明装置へ前記制御信号を送信する遠隔操作装置とを備えることを特徴とする。
【００２２】
本発明にあっては、遠隔操作装置から特定の制御信号が送信された場合でも、当該遠隔操作装置の操作により点灯状態又は消灯状態などの動作状態が変更されることを防止し、動作状態を維持することができる照明システムを実現することができる。
【発明の効果】
【００２３】
本発明によれば、遠隔操作装置から特定の制御信号が送信された場合でも、当該遠隔操作装置の操作により点灯状態又は消灯状態などの動作状態が変更されることを防止し、動作状態を維持することができる。
【図面の簡単な説明】
【００２４】
【図１】本実施の形態の照明システムの構成の一例を示すブロック図である。
【図２】制御信号のデータコードの一例を示す説明図である。
【図３】本実施の形態の照明装置による指定情報の設定の一例を示す説明図である。
【図４】本実施の形態の照明装置による指定情報の設定の他の例を示す説明図である。
【図５】本実施の形態の照明装置による指定情報の設定時の報知方法の一例を示す説明図である。
【発明を実施するための形態】
【００２５】
以下、本発明をその実施の形態を示す図面に基づいて説明する。図１は本実施の形態の照明システムの構成の一例を示すブロック図である。照明システムは、照明装置１００及び遠隔操作装置としてのリモコン（リモートコントロール）２００などを備える。ユーザがリモコン２００を操作することにより、照明装置１００の動作状態（点灯、消灯、あるいは調光状態など）を遠隔制御することができる。
【００２６】
リモコン２００は、制御部２０１、操作部２０２、送信部２０３などを備える。
【００２７】
制御部２０１は、操作部２０２、送信部２０３の制御を行う。
【００２８】
操作部２０２は、操作スイッチ、液晶ディスプレイなどの表示部（不図示）を備える。操作部２０２で操作を受け付けることにより、照明装置１００の点灯、消灯、点灯開始又は点灯終了などの時刻設定、照明装置１００に調光機能が備えられている場合には調光レベルの設定、照明装置１００に調色機能が備えられている場合には調色レベルの設定、後述の送信部２０３から送信する動作コマンド及び数値データなどを遠隔操作範囲にある照明装置のうち固有の指定情報（例えば、固有のチャネル）が設定された照明装置だけが受け付けることを指定する固有の制御信号（例えば、１チャネル、２チャネルなど）の設定などを行うことができる。操作部２０２は、受け付けた操作の内容を制御部２０１へ出力する。
【００２９】
送信部２０３は、赤外線発光部を備え、赤外線を使用して遠隔操作情報（制御信号）を照明装置１００へ送信する。制御信号のデータフォーマットは、例えば、１フレームの送信データには、リーダコード、カスタムコード、データコードなどを含む。
【００３０】
図２は制御信号のデータコードの一例を示す説明図である。図２に示すように、データコードは、例えば、Ｄ０（事業区分）、Ｄ１（品種区分）、Ｄ２（数値データ）、Ｄ３（動作コマンド）、Ｄ４（チャネル指定）などの情報を含む。事業区分は、例えば、企業の事業本部コードを表し、品種区分は、商品のカテゴリを表す。
【００３１】
また、数値データは、タイマの時間設定、時刻設定の場合に、時分を特定する。また、動作コマンドは、点灯、消灯、調光、調色などの動作を指定するコマンドを特定する。
【００３２】
チャネル指定は、照明装置に設定された指定情報（例えば、チャネル）を指定するデータである。例えば、固有の指定情報として１チャネルが設定された照明装置と、固有の指定情報として２チャネルが設定された照明装置とがある場合、チャネル指定において１チャネルを指定した固有の制御信号をリモコン２００から送信した場合、１チャネルが設定された照明装置は、動作コマンド及び数値データに基づいて動作をするが、１チャネルが設定された照明装置は動作しない。チャネル（指定情報）は、複数指定することができ、例えば、１チャネルから９チャネルのように、照明装置の種別に応じて適宜指定することができる。照明装置の種別とは、例えば、シーリングライト、ペンダントライト、卓上ライト、足元ライト、シャンデリア、フロアスタンド、ダウンライトなどの種類である。例えば、シーリングライトには、１チャネル及び２チャネルを割り当て、いずれか一方を選択して設定できるようにし、同様に、卓上ライトには、３チャネル及び４チャネルを割り当てるようにすることができる。なお、本実施の形態では、１チャネル及び２チャネルの２つのチャネルを用いるが、チャネル数は２つに限定されない。
【００３３】
例えば、リモコン２００が、１チャネルの固有の制御信号（チャネル指定が１チャネルの制御信号）を送信した場合には、照明装置側で１チャネルの固有の制御信号による指定を受け付ける指定情報（１チャネル）を設定した照明装置だけが、リモコン２００からの遠隔操作を受け付け、動作コマンド及び数値データなどに基づいて、遠隔操作に応じた動作を行う。同様に、リモコン２００が、２チャネルの固有の制御信号を送信した場合には、照明装置側で２チャネルの固有の制御信号による指定を受け付ける指定情報（２チャネル）を設定した照明装置だけが、リモコン２００からの遠隔操作を受け付け、動作コマンド及び数値データなどに基づいて、遠隔操作に応じた動作を行う。
【００３４】
また、送信部２０３は、特定の制御信号（全チャネル）を送信することができる。特定の制御信号は、指定情報の設定（設定状態）が異なる（例えば、１チャネル、２チャネルが設定された状態の）複数の照明装置を動作させるための制御信号であり、全チャネルの信号である。特定の制御信号は、例えば、０チャネルを使用することができるが、０チャネルに限定されるものではなく、他のチャネルを用いることもできる。
【００３５】
本実施の形態では、特定の制御信号（全チャネル）の運用方法としては、０チャネルを全チャネルとして規定している。例えば、照明装置において、１チャネル又は２チャネルのいずれかに設定することが可能な照明装置の場合、１チャネルに設定した照明装置の場合には、１チャネルを指定する固有の制御信号又は０チャネルを指定する特定の制御信号を受信した場合には動作する。また、２チャネルに設定した照明装置の場合には、２チャネルを指定する固有の制御信号又は０チャネルを指定する特定の制御信号を受信した場合には動作する。指定情報を切り替えて設定することができる照明装置であっても、指定情報を切り替えられない照明装置（予め指定情報が設定済）であっても、特定の制御信号（全チャネル、０チャネル）は常に受信して動作するので、特定の制御信号によりすべての照明装置を指定して動作させることができる。
【００３６】
照明装置１００は、照明装置全体を制御し、マイクロコンピュータなどで構成される制御部１０１、受信部１０２、設定部１０３、表示部１０４、電源部１０５、光源部１０６などを備える。
【００３７】
受信部１０２は、赤外線受光部を備え、リモコン２００の送信部２０３が送信した制御信号（動作コマンド、数値データ、チャネル指定などを含む）を受信し、受信した制御信号を制御部１０１へ出力する。
【００３８】
設定部１０３は、指定情報を設定する設定部としての機能を有する。指定情報は、それぞれの照明装置に設定される情報であり、制御信号により指定されることにより照明装置を動作させるための情報である。
【００３９】
設定部１０３は、特定の制御信号（全チャネル）の受け付けを可又は否とする指定情報を設定する。また、設定部１０３は、固有の照明装置を動作させる複数の固有の制御信号（例えば、１チャネル、２チャネルなど）のいずれか１つによる指定の受け付けを可又は否とする指定情報を設定する。設定部１０３は、予め設定した指定情報（チャネル）を制御部１０１へ出力する。これにより、制御部１０１は、照明装置１００がいずれの固有の制御信号による指定を受け付けるのか予め認識することができる。なお、照明装置の使用態様等に応じて、固有の制御信号による指定を受け付ける場合、１つの固有の制御信号に限らず、複数の固有の制御信号による指定を同時に受け付けるように設定することもできる。
【００４０】
制御部１０１は、特定の制御信号（全チャネル）を受信した場合、特定の制御信号を無効にする無効部としての機能を有する。なお、特定の制御信号を無効にするとは、リモコン２００から特定の制御信号を一旦受信するものの、指定されたチャネルが異なる場合には、送信された特定の制御信号が自身のものではないとして、動作コマンド及び数値データ等を無効にすることである。また、制御部１０１は、特定の制御信号を有効にする有効部としての機能を有する。
【００４１】
表示部１０４は、発光ダイオードなどの表示灯（インジケータ）を備え、設定部１０３で複数の固有の制御信号（例えば、１チャネル、２チャネル）のいずれかの１つによる指定の受付を可とする指定情報を設定した場合、設定した指定情報に応じて表示態様を変えて表示する。また、表示部１０４は、設定部１０３で特定の制御信号（全チャネル）による指定の受付を可又は否とする指定情報を設定した場合、設定した指定情報に応じて表示態様を変えて表示する。
【００４２】
光源部１０６は、例えば、光源としての複数のＬＥＤモジュールを備える。なお、ＬＥＤモジュールは、同じ発光色のものでもよく、電球色と昼白色のように発光色の異なるＬＥＤモジュールを備える構成でもよい。また、光源部１０６の光源は、ＬＥＤモジュールに限定されるものではなく、他の光源を用いてもよい。
【００４３】
電源部１０５は、例えば、定電流回路などを備え、光源部１０６へ所要の電力を供給する。電源部１０５は、制御部１０１の制御の下、光源部１０６の点灯、消灯を行う。また、電源部１０５は、制御部１０１の制御の下、光源部１０６の調光制御を行うこともでき、あるいは調色制御を行うこともできる。
【００４４】
次に、照明装置１００の動作について説明する。制御部１０１は、リモコン２００から指定情報（チャネル）の設定が異なる複数の照明装置を動作させる特定の制御信号（全チャネル）を受信した場合、当該特定の制御信号を無効にする。制御部１０１で特定の制御信号を無効にするようにしておくことにより、リモコン２００から特定の制御信号が送信された場合でも、当該リモコン２００の操作により点灯状態又は消灯状態などの動作状態が変更されることを防止し、動作状態を維持することができる。
【００４５】
また、制御部１０１は、設定部１０３で設定した指定情報が特定の制御信号（例えば、全チャネルの信号）の受付を否とする場合、受信した特定の制御信号を無効にする。設定部１０３で特定の制御信号の受付を否とする指定情報を設定した場合、特定の制御信号を受信しても受信した特定の制御信号を無効とするので、特定の制御信号（例えば、全チャネル）を送信するリモコン２００の操作により点灯状態又は消灯状態などの動作状態が変更されることを防止することができる。また、設定部１０３で特定の制御信号の受付を可とする指定情報を設定した場合には、受信した特定の制御信号を無効としないので、特定の制御信号を送信するリモコン２００の操作により点灯状態又は消灯状態などの動作状態を変更することができ、ユーザの操作性を高めることもできる。
【００４６】
次に、設定部１０３での設定について具体的に説明する。図３は本実施の形態の照明装置１００による指定情報の設定の一例を示す説明図である。設定部１０３は、例えば、ディップスイッチなどであり、指定情報として１チャネル又は２チャネルのいずれかを設定することができる。
【００４７】
図３に示すように、設定部１０３で１チャネルを指定して設定した場合、制御部１０１は全チャネルを有効と設定する。また、設定部１０３で２チャネルを指定して設定した場合、制御部１０１は全チャネルを無効と設定する。すなわち、設定部１０３は、例えば、１チャネル又は２チャネルのいずれかを選択して設定することができる。制御部１０１は、設定部１０３で一の固有の制御信号（１チャネル）による指定の受付を可とする指定情報を設定した場合、特定の制御信号（全チャネル）を無効にし、設定部１０３で当該一の固有の制御信号以外の固有の制御信号（２チャネル）による指定の受付を可とする指定情報を設定した場合、特定の制御信号（全チャネル）を有効にする。
【００４８】
図３に示すように、設定部１０３で１チャネルを設定した場合、リモコン２００から送信されたチャネル指定が、１チャネル又は全チャネルであるときは、点灯消灯動作は可であり、リモコン２００から送信されたチャネル指定が、２チャネルであるときは、点灯消灯動作は否である。
【００４９】
また、設定部１０３で２チャネルを設定した場合、リモコン２００から送信されたチャネル指定が、２チャネルであるときは、点灯消灯動作は可であり、リモコン２００から送信されたチャネル指定が、１チャネル又は全チャネルであるときは、点灯消灯動作は否である。
【００５０】
上述のように、指定情報として、例えば、１チャネル及び２チャネルの２つのチャネルがある場合、設定部で１チャネルを設定したときは全チャネルを無効にし、２チャネルを設定したときは全チャネルを有効にする。これにより、設定部１０３で固有の制御信号による指定の受付を可又は否とする指定情報を設定するだけで、特定の制御信号（全チャネル）の有効無効を選択して設定することができ、特定の制御信号（全チャネル）を送信する遠隔操作装置及び固有の制御信号を送信する遠隔操作装置のいずれからの操作も受け付けることができる。
【００５１】
次に、設定部１０３での設定について他の具体的に説明する。図４は本実施の形態の照明装置１００による指定情報の設定の他の例を示す説明図である。この場合、設定部１０３は、例えば、設定スイッチ（切替ボタン）などを備え、スイッチ（ボタン）を操作する都度、指定情報（チャネル）の設定を順番に切り替えることができる。
【００５２】
図４に示すように、設定部１０３は、１チャネル及び全チャネルの両方による指定の受付を可、２チャネル及び全チャネルの両方による指定の受付を可、１チャネルのみによる指定の受付を可、及び２チャネルのみによる指定の受付を可とする４通りの設定内容を順番に切り替えて設定することができる。
【００５３】
図４に示すように、設定部１０３で１チャネル及び全チャネルの両方を設定した場合、リモコン２００から送信されたチャネル指定が、１チャネル又は全チャネルであるときは、点灯消灯動作は可であり、リモコン２００から送信されたチャネル指定が、２チャネルであるときは、点灯消灯動作は否である。
【００５４】
また、設定部１０３で２チャネル及び全チャネルの両方を設定した場合、リモコン２００から送信されたチャネル指定が、２チャネル又は全チャネルであるときは、点灯消灯動作は可であり、リモコン２００から送信されたチャネル指定が、１チャネルであるときは、点灯消灯動作は否である。
【００５５】
また、設定部１０３で１チャネルのみを設定した場合、リモコン２００から送信されたチャネル指定が、１チャネルであるときは、点灯消灯動作は可であり、リモコン２００から送信されたチャネル指定が、２チャネル又は全チャネルであるときは、点灯消灯動作は否である。
【００５６】
また、設定部１０３で２チャネルのみを設定した場合、リモコン２００から送信されたチャネル指定が、２チャネルであるときは、点灯消灯動作は可であり、リモコン２００から送信されたチャネル指定が、１チャネル又は全チャネルであるときは、点灯消灯動作は否である。
【００５７】
上述のように、設定部１０３は、固有の照明装置を動作させる複数の固有の制御信号のいずれか１つ及び特定の制御信号の両方による指定の受付を可とする指定情報、又は固有の制御信号のいずれか１つによる指定の受付を可とするとともに特定の制御信号による指定の受付を否とする指定情報を選択可能に設定する。例えば、指定情報として、１チャネル及び２チャネルの２つのチャネルがある場合、設定部１０３は、１チャネル（固有の制御信号）及び全チャネル（特定の制御信号）の受付を可とする指定情報の設定、２チャネル（固有の制御信号）及び全チャネル（特定の制御信号）の受付を可とする指定情報の設定、１チャネルの受付を可とし全チャネルの受付を否とする指定情報の設定、２チャネルの受付を可とし全チャネルの受付を否とする４通りの設定を選択可能に設定する。これにより、特定の制御信号を送信する遠隔操作装置及び固有の制御信号を送信する遠隔操作装置のいずれからの操作も受け付けることができる。
【００５８】
図５は本実施の形態の照明装置１００による指定情報の設定時の報知方法の一例を示す説明図である。図５の例は、図４に例示した設定に対応するものである。図５に示すように、指定情報（チャネル指定）の初期値（デフォルト）は、１チャネル及び全チャネルの両方による指定が受付可の状態である。ユーザが設定部１０３のスイッチ又はボタンを１回操作（例えば、スイッチを押す操作）する都度、設定内容は、２チャネル及び全チャネルの両方による指定が受付可（順序１）、１チャネルのみによる指定が受付可（順序２）、２チャネルのみによる指定が受付可（順序３）、１チャネル及び全チャネルの両方による指定が受付可（順序４）の順序で切り替わる。
【００５９】
そして、表示部１０４は、順序１に切り替わるときは、短かい間隔で２回点滅し、順序２に切り替わるときは、長い間隔で１回点滅し、順序３に切り替わるときは、長い間隔で２回点滅し、順序４に切り替わるときは、短かい間隔で１回点滅する。
【００６０】
すなわち、表示部１０４は、設定部１０３で複数の固有の制御信号のいずれかの１つによる指定の受付を可とする指定情報を設定した場合、設定した指定情報に応じて表示態様を変えて表示する。例えば、指定情報として、１チャネル及び２チャネルの２つのチャネルがある場合、設定部１０３で１チャネルを設定したときには、１回点滅の表示をし、設定部１０３で２チャネルを設定したときには、２回点滅の表示をする。これにより、設定した指定情報の違いを容易に識別することができる。
【００６１】
また、表示部１０４は、設定部１０３で特定の制御信号（全チャネル）による指定の受付を可又は否とする指定情報を設定した場合、設定した指定情報に応じて表示態様を変えて表示する。例えば、特定の制御信号による指定の受付可とした場合には、短かい時間の点滅表示とし、特定の制御信号による指定の受付否とした場合には、長い時間の点滅表示とする。これにより、特定の制御信号の受付可否の違いを容易に識別することができる。
【００６２】
上述のように、本実施の形態にあっては、リモコン２００から特定の制御信号（全チャネル）が送信された場合でも、当該リモコン２００の操作により点灯状態又は消灯状態などの動作状態が変更されることを防止し、動作状態を維持することができる照明システムを実現することができる。
【００６３】
上述の実施の形態では、リモコン２００と照明装置１００とは、赤外線通信を用いる構成であったが、赤外線通信に限定されるものではなく、他の近距離通信方式を採用することもできる。
【符号の説明】
【００６４】
１００  照明装置
１０１  制御部
１０２  受信部
１０３  設定部
１０４  表示部
１０５  電源部
１０６  光源部
２００  リモコン
２０１  制御部
２０２  操作部
２０３  送信部
【図１】
2012195111.tif 000003
【図２】
2012195111.tif 000004
【図３】
2012195111.tif 000005
【図４】
2012195111.tif 000006
【図５】
2012195111.tif 000007